(57)【要約】【課題】少なくとも一部が筐体内に収容された部品が筐体に取り付けられた場合により不都合の少ない新規な構成の電子機器を得る。【解決手段】実施形態にかかる電子機器は、第一筐体と、第二筐体と、ヒンジと、部品と、固定部材と、を備える。第一筐体は、第一壁部と、この第一壁部の反対側に位置された第二壁部と、を有する。ヒンジは、第一筐体および第二筐体を回動可能に接続する。部品は、第一壁部に設けられた部品収容部に収容される。固定部材は、第一筐体に固定された筐体固定部と、ヒンジが固定されたヒンジ固定部と、第一壁部と第二壁部との間に位置されて部品を第一壁部に近接させて支持した支持部と、を有する。【選択図】図１６
2012195462.tif 000002
【特許請求の範囲】
【請求項１】
第一壁部と、この第一壁部の反対側に位置された第二壁部と、を有した第一筐体と、
第二筐体と、
前記第一筐体および前記第二筐体を回動可能に接続したヒンジと、
前記第一壁部に設けられた部品収容部に収容された部品と、
前記第一筐体に固定された筐体固定部と、前記ヒンジが固定されたヒンジ固定部と、前記第一壁部と前記第二壁部との間に位置されて前記部品を前記第一壁部に近接させて支持した支持部と、を有した固定部材と、
を備えた、電子機器。
【請求項２】
前記固定部材および前記第一筐体のうち少なくともいずれか一方に、前記固定部材と前記第一筐体とが係る係部が設けられ、
前記支持部は、前記筐体固定部と前記係部との間に位置された、請求項１に記載の電子機器。
【請求項３】
前記第一筐体には、第二部品が収容されるとともに、前記ヒンジを挿通させる開口部が設けられ、
前記固定部材は、前記第二部品の前記開口部側に位置して前記第二部品が前記開口部側に移動するのを抑制する移動抑制部を有した、
請求項１または２に記載の電子機器。
【請求項４】
前記固定部材は、複数の前記筐体固定部を有し、
少なくとも一つの前記ヒンジ固定部が、複数の前記筐体固定部の間に位置された、請求項１〜３のうちいずれか一つに記載の電子機器。
【請求項５】
前記固定部材は、前記ヒンジとともに前記固定部材が前記第一筐体に固定される共通固定部を有し、
少なくとも一つの前記ヒンジ固定部が、前記共通固定部とこの共通固定部とは別の前記筐体固定部との間に位置された、請求項４に記載の電子機器。
【請求項６】
前記ヒンジ固定部として、
複数の前記筐体固定部と列状に配置された第一ヒンジ固定部と、
前記複数の筐体固定部および前記第一ヒンジ固定部に沿った列からずれて位置された第二ヒンジ固定部と、を有した、
請求項４または５に記載の電子機器。
【請求項７】
前記第一壁部に固定された回路基板を備え、
前記固定部材の複数の前記筐体固定部の間の部分が、前記回路基板を跨いだ、請求項４〜６のうちいずれか一つに記載の電子機器。
【請求項８】
前記第一壁部を有し、第二回路基板が取り付けられた、前記第一筐体の第一部分と、
前記第二壁部を有し、前記第二回路基板、前記固定部材、および前記ヒンジが取り付けられた前記第一部分に取り付けられた、前記第一筐体の第二部分と、
を備えた、請求項１に記載の電子機器。
【請求項９】
第一壁部と、この第一壁部の反対側に位置された第二壁部と、を有した筐体と、
少なくとも一部が前記筐体に収容された第一部品と、
前記筐体内に設けられた部品保持部に保持された第二部品と、
前記筐体に固定された筐体固定部と、前記第一部品が固定された部品固定部と、前記第一壁部と前記第二壁部との間に位置されて前記第二部品を前記第一壁部に近接させて支持した支持部と、を有した固定部材と、
を備えた、電子機器。
【発明の詳細な説明】
【技術分野】
【０００１】
本発明の実施形態は、電子機器に関する。
【背景技術】
【０００２】
従来、筐体内でヒンジユニットにスピーカが固定された電子機器が知られている。
【先行技術文献】
【特許文献】
【０００３】
【特許文献１】特開２００３−８７３７８号公報
【発明の概要】
【発明が解決しようとする課題】
【０００４】
この種の電子機器では、少なくとも一部が筐体内に収容された部品が筐体に取り付けられた場合により不都合の少ない構成が望まれている。
【０００５】
そこで、本発明の実施形態は、少なくとも一部が筐体内に収容された部品が筐体に取り付けられた場合により不都合の少ない新規な構成の電子機器を得ることを、目的の一つとする。
【課題を解決するための手段】
【０００６】
本発明の実施形態にかかる電子機器は、第一筐体と、第二筐体と、ヒンジと、部品と、固定部材と、を備える。第一筐体は、第一壁部と、この第一壁部の反対側に位置された第二壁部と、を有する。ヒンジは、第一筐体および第二筐体を回動可能に接続する。部品は、第一壁部に設けられた部品収容部に収容される。固定部材は、第一筐体に固定された筐体固定部と、ヒンジが固定されたヒンジ固定部と、第一壁部と第二壁部との間に位置されて部品を第一壁部に近接させて支持した支持部と、を有する。
【図面の簡単な説明】
【０００７】
【図１】図１は、一実施形態にかかる電子機器の一例の展開状態での斜視図である。
【図２】図２は、一実施形態にかかる電子機器の第一部分の一例の筐体内側が示された斜視図である。
【図３】図３は、一実施形態にかかる電子機器の第一部分の筐体の一例の下側部分が外されて筐体内部が示された平面図である。
【図４】図４は、一実施形態にかかる電子機器の第一部分の上側部分の筐体内部の右奥側の領域の一例が示された斜視図である。
【図５】図５は、一実施形態にかかる電子機器の第一部分の上側部分の筐体内部の左奥側の領域の一例が示された斜視図である。
【図６】図６は、一実施形態にかかる電子機器の第一部分の上側部分の筐体内部の右奥側の領域に回路基板が取り付けられた状態の一例が示された斜視図である。
【図７】図７は、一実施形態にかかる電子機器の第一部分の上側部分の筐体内部の左奥側の領域に回路基板が取り付けられた状態の一例が示された斜視図である。
【図８】図８は、一実施形態にかかる電子機器の第一部分の上側部分の筐体内部の右奥側の領域に回路基板に加えて固定部材が取り付けられた状態の一例が示された斜視図である。
【図９】図９は、一実施形態にかかる電子機器の第一部分の上側部分の筐体内部の左奥側の領域に回路基板に加えて固定部材が取り付けられた状態の一例が示された斜視図である。
【図１０】図１０は、一実施形態にかかる電子機器の第一部分の上側部分の筐体内部の右奥側の領域に取り付けられる固定部材の一例が示された斜視図である。
【図１１】図１１は、一実施形態にかかる電子機器の第一部分の上側部分の筐体内部の左奥側の領域に取り付けられる固定部材の一例が示された斜視図である。
【図１２】図１２は、一実施形態にかかる電子機器の第一部分の上側部分の筐体内部の右奥側の領域に回路基板および固定部材に加えてヒンジ機構が取り付けられた状態の一例が示された斜視図である。
【図１３】図１３は、一実施形態にかかる電子機器の第一部分の上側部分の筐体内部の左奥側の領域に回路基板および固定部材に加えてヒンジ機構が取り付けられた状態の一例が示された斜視図である。
【図１４】図１４は、図１２に対応した平面図である。
【図１５】図１５は、図１３に対応した平面図である。
【図１６】図１６は、図１４のXVI−XVI断面図である。
【図１７】図１７は、図１４のXVII−XVII断面図である。
【図１８】図１８は、図１４のXVIII−XVIII断面図である。
【図１９】図１９は、図１４のXIX−XIX断面図である。
【図２０】図２０は、図１５のXX−XX断面図である。
【図２１】図２１は、図１５のXXI−XXI断面図である。
【図２２】図２２は、図１５のXXII−XXII断面図である。
【図２３】図２３は、図１５のXXIII−XXIII断面図である。
【図２４】図２４は、一実施形態にかかる電子機器の第一部分の上側部分の筐体内部の右奥側の領域に回路基板および固定部材に加えてヒンジ機構が取り付けられ配線が配置された状態の一例が示された斜視図である。
【図２５】図２５は、一実施形態にかかる電子機器の第一部分の上側部分の筐体内部の左奥側の領域に回路基板および固定部材に加えてヒンジ機構が取り付けられ配線が配置された状態の一例が示された斜視図である。
【発明を実施するための形態】
【０００８】
以下、本発明の実施形態について詳細に説明する。以下の実施形態の各図では、便宜上の方向が規定される。Ｘ方向は発明にかかわる構成を備えた筐体２ａの幅方向、Ｙ方向は高さ方向（奥行き方向）、Ｚ方向は厚さ方向である。Ｘ方向、Ｙ方向、およびＺ方向は、相互に直交している。
【０００９】
図１は、本実施形態にかかる電子機器の一例の展開状態での斜視図である。図１に示されるように、電子機器１は、所謂ノート型のパーソナルコンピュータとして構成されている。電子機器１は、矩形状（長方形状）の扁平な第一部分２と、矩形状（長方形状）の扁平な第二部分３と、を備えている。これら第一部分２および第二部分３は、左右両側のヒンジ機構４Ｌ，４Ｒ（４）を介して、図１に示される展開状態と図示されない折り畳み状態との間で相対回動可能に、接続されている。
【００１０】
第一部分２には、筐体２ａの外面（表面）としての上面（天面、面）２ｂ側に露出する状態で、入力操作部（モジュール、入力装置、操作部、入力部）としてのキーボード５や、ポインティングデバイス７、クリックボタン８等が設けられている。また、第二部分３には、表示画面６ａが筐体３ａの外面（表面）としての前面（正面、面）３ｂ側に開口部３ｃから露出する状態で、表示モジュール（モジュール、表示装置、出力部）としてのディスプレイパネル６（例えば、ＬＣＤ（liquid crystal display）や、ＯＥＬＤ（organic electro-luminescent display）等）が、設けられている。展開状態では、キーボード５やディスプレイパネル６等が露出し、ユーザが使用可能な状態となる。一方、折り畳み状態では、上面２ｂと前面３ｂとが相互に近接した状態で対向して、キーボード５や、ディスプレイパネル６、ポインティングデバイス７、クリックボタン８等が、筐体２ａ，３ａによって隠される。筐体２ａは第一筐体の一例であり、筐体３ａは第二筐体の一例である。
【００１１】
第一部分２の筐体２ａは、上面２ｂを形成する矩形状（長方形状）かつ板状の上壁２ｃ、下面（底面、面、図示せず）を形成する矩形状（長方形状）かつ板状の下壁２ｄ、および側面（周面、面）２ｅを形成する側壁（周壁、縦壁、起立壁）２ｆを有している。下壁２ｄは、上壁２ｃの反対側で上壁２ｃに間隔をあけて位置されている。側壁２ｆは、上壁２ｃおよび下壁２ｄと交叉する方向（略直交方向）に沿って延び、上壁２ｃと下壁２ｄとの間に亘って設けられている。これら上壁２ｃ、下壁２ｄ、側壁２ｆは、壁部の一例である。また、上壁２ｃは第一壁部の一例であり、下壁２ｄは第二壁部の一例である。
【００１２】
筐体２ａは、上側部分（上側筐体、部品、カバー）２Ｃと、下側部分（下側筐体、部品、ボトム）２Ｂと、を有している。これら上側部分２Ｃおよび下側部分２Ｂが一体化されて、筐体２ａが構成されている。上側部分２Ｃは、上壁２ｃを含み、側壁２ｆの一部を含むことができる。また、下側部分２Ｂは、下壁２ｄを含み、側壁２ｆの一部を含むことができる。
【００１３】
また、筐体２ａは、四つの端部（辺部）２ｇ〜２ｊを有し、四つの角部２ｋ，２ｍ，２ｎ，２ｐを有する。端部２ｇは、後端部の一例であり、端部２ｉは、後端部の反対側に位置された前端部の一例であり、端部２ｈは、右端部（側端部）の一例であり、端部２ｊは、右端部の反対側に位置された左端部（側端部）の一例である。また、上面２ｂには、幅方向（Ｘ方向）に長い長方形状の凹部２ｒが設けられている。この凹部２ｒには、キーボード５が収容される（載置される）。凹部２ｒは、キーボード５の収容部または載置部の一例である。
【００１４】
上壁２ｃの凹部２ｒより手前側の部分には、パームレスト部２ｓが設けられている。パームレスト部２ｓは、比較的平坦な上面２ｂを形成している。なお、凹部２ｒが窪んでいるため、その凹部２ｒに収容された（載置された）キーボード５の上面と、パームレスト部２ｓの上面２ｂとを、ほぼ同じ高さに設定することができる。
【００１５】
また、筐体２ａには、奥側の端部２ｇに沿って矩形状の切欠２ｖが設けられている。この切欠２ｖには、バッテリ（モジュール、部品）９が収容されている。すなわち、切欠２ｖは、バッテリ収容部（モジュール収容部、バッテリ装着部、収容部、装着部）の一例である。
【００１６】
また、上壁２ｃの奥側の、バッテリ９の幅方向両側には、複数の貫通孔２ｗが設けられている。貫通孔２ｗの裏側（筐体内側）には、スピーカモジュール８０Ｌ，８０Ｒ（図６，７等参照）が位置されている。スピーカモジュール８０Ｌ，８０Ｒから出力された音声は、それぞれに対向する貫通孔２ｗを介して筐体２ａの外へ出る。また、本実施形態では、貫通孔２ｗに近接して、操作ボタン（押しボタン、操作部、入力部）８Ｌ，８Ｒが設けられている。操作者によって操作ボタン８Ｌ，８Ｒが押されると、その裏側（筐体内側）に設けられた回路基板（プリント基板、プリント配線板、基板、制御基板）１０，６０等（図６，７等参照）に設けられたスイッチ（図視されず）が押されて、スイッチの動作（状態、接触状態または離間状態、姿勢、位置）に応じた電気的な信号が生成される。回路基板６０は第一回路基板の一例であり、回路基板１０は第二回路基板の一例である。
【００１７】
図２は、筐体２ａの上側部分２Ｃの一例を筐体内側（裏側、裏面２ｔ側）から見た斜視図である。図２に示されるように、上壁２ｃの裏面２ｔには、複数の突起２ｕが設けられている。また、バッテリ９が収容された切欠２ｖの幅方向両側の、筐体内側には、略等幅で奥行方向（Ｙ方向）の奥側に突出した部分の筐体内側に位置した領域（空間、室）ＡＬ，ＡＲが設けられている。領域ＡＬ，ＡＲには、回路基板６０、回路基板１０の一部、固定部材３０Ｌ，３０Ｒ（図３，１０，１１等参照）、ヒンジ機構４Ｌ，４Ｒ（図１２，１３等参照）等の部品（モジュール）が収容される。固定部材３０Ｌ，３０Ｒは、第一部品の一例である。
【００１８】
図３は、第一部分２の下側部分２Ｂが外されて筐体２ａの内部が示された平面図である。第一部分２の筐体２ａには、回路基板（基板、プリント配線基板、制御基板）１０や、ＯＤＤ２１(optical disk drive)、記憶装置２２、ヒートシンク２３、ヒートパイプ２４、放熱板２５、冷却ファン２６等が収容されている。回路基板１０は、例えばメインボードである。なお、本実施形態では、これらの部品（例えば、回路基板１０や、ＯＤＤ２１、記憶装置２２、ヒートシンク２３、ヒートパイプ２４、放熱板２５、冷却ファン２６等）が取り付けられた上側部分２Ｃに、ヒンジ機構４の一端側（図示せず）が取り付けられる。この際、既に、ヒンジ機構４の他端側（図示せず）は、アセンブリされた第二部分３に取り付けられている。その後、上側部分２Ｃに下側部分２Ｂが取り付けられる。
【００１９】
また、回路基板１０の一方側の面１０ａ上には、ＣＰＵ１１（central processing unit）や、グラフィックコントローラ１２、電源回路部品１３、メモリスロットコネクタ１４、ＬＣＤコネクタ１５、Ｉ／Ｏ（input/output）コネクタ１６、電源コイル、素子１８、コネクタ１９等が実装されている。なお、コネクタ１９は、回路基板１０に実装されない場合や、別の回路基板に実装されない場合もある。
【００２０】
図４は、筐体２ａの上側部分２Ｃの筐体内部の右奥側（筐体２ａの上面（表面）２ｂに対向した正面視で右奥側、以下同様）の領域ＡＲの一例が示された斜視図である。図５は、筐体２ａの上側部分２Ｃの筐体内部の左奥側（筐体２ａの上面（表面）２ｂに対向した正面視で左奥側、以下同様）の領域ＡＬの一例が示された斜視図である。図６は、図４に示された領域ＡＲに、さらに回路基板１０，６０の一例が取り付けられた状態が示された斜視図である。また、図７は、図５に示された領域ＡＬに、さらに回路基板１０の一例が取り付けられた状態が示された斜視図である。
【００２１】
領域ＡＬ，ＡＲ内では、上壁２ｃの裏面２ｔに、複数の固定部（突出部）５１ａ〜５１ｄが設けられている。固定部５１ａ〜５１ｄは、いずれも裏面２ｔから第一部分２（筐体２ａ）の厚さ方向（Ｚ方向）に沿って突出し、固定具の一例としてのねじ７０が接続される（締結される、固定される）雌ねじ孔が設けられている。すなわち、固定部５１ａ〜５１ｄは、取付部（突出部、突起部、ボス部、固定部、締結部、接続部）Ｐ１〜Ｐ５の一例である。
【００２２】
本実施形態では、固定部５１ａ〜５１ｄのスペック（例えば配置や高さ等）の設定によって、複数の部品（モジュール）を、領域ＡＬ，ＡＲ内で、厚さ方向（Ｚ方向）に重ねて配置することができる。最も突出高さが低い固定部５１ａは、一例としては、回路基板１０，６０等の取り付け（固定、支持）に用いられる。すなわち、固定部５１ａは、回路基板１０，６０の取付部Ｐ１の一部の一例である。固定部５１ａより突出高さが高い固定部５１ｂは、一例としては、固定部材３０Ｌ，３０Ｒ（図８〜１１等参照）の取り付け（固定、支持）に用いられる。すなわち、固定部５１ｂは、固定部材３０Ｌ，３０Ｒの取付部（固定部、接続部、結合部、締結部）Ｐ２の一部の一例である。固定部５１ｂより突出高さが高い固定部５１ｃは、固定部材３０Ｌ，３０Ｒおよびヒンジ機構４Ｌ，４Ｒの取付部（固定部、接続部、結合部、締結部）Ｐ４の一例である。固定部５１ｃより突出高さが高い固定部５１ｄは、筐体２ａの上側部分２Ｃと下側部分２Ｂとの取り付け（固定、接続）に用いられる。すなわち、固定部５１ｄは、上側部分２Ｃおよび下側部分２Ｂの取付部（固定部、接続部、結合部、締結部）Ｐ５の一例である。
【００２３】
また、上壁２ｃの裏面２ｔには、突出部２０１ａ〜２０１ｃが設けられている。突出部２０１ａ〜２０１ｃは、いずれも裏面２ｔから第一部分２（筐体２ａ）の厚さ方向（Ｚ方向）に沿って突出し、部品（モジュール）の位置決め（位置合わせ）や、移動抑制、固定、案内、係合、支持等に用いられる。すなわち、突出部２０１ａ〜２０１ｃは、部品（モジュール）と筐体２ａとの位置決め部（位置合わせ部、移動抑制部、固定部、案内部、支持部）の一例である。なお、突出部２０１ａ〜２０１ｃは、一例としては、十字状の断面を有している。
【００２４】
突出部２０１ａは、操作ボタン８Ｌ，８Ｒの支持や固定等に用いられる。操作ボタン（の可動部）８Ｌ，８Ｒは、突出部２０１ａが挿通される貫通孔を有した取付部８ａと、突起部８ｂと、を有している。取付部８ａは突出部２０１ａに支持あるいは固定されている。操作者の操作（一例としては押操作、押圧操作）によって操作ボタン（の可動部）８Ｌ，８Ｒが筐体内側へ押されると、突起部８ｂが筐体内側へ移動し、回路基板１０，６０に設けられたスイッチ（図視されず）を押圧する。すなわち、突起部８ｂは、押部（押圧部、押込部）の一例である。なお、複数の突起部８ｂのうち一つが、回路基板１０，６０やその他の部品（モジュール）等に当接して支持する支持部として利用され、別の突起部８ｂが、スイッチをより好適な姿勢で押すように構成することができる。
【００２５】
また、突出部２０１ｂは、回路基板１０，６０の支持や固定等に用いられる。また、突出部２０１ｃは、固定部材３０Ｌ，３０Ｒ（図８〜１１等参照）の支持や固定等に用いられる。
【００２６】
また、上壁２ｃの裏面２ｔには、壁状に突出したリブ２０１ｄが設けられている。リブ２０１ｄは、一例としては、切欠２ｖの少なくとも一部を構成する壁部としての隔壁２ｙに隣接して（沿って）設けられている。リブ２０１ｄは、奥行方向（Ｙ方向）に長い矩形状（長方形状）かつ環状に、裏面２ｔ上に突出している。このリブ２０１ｄで囲まれた領域２０１Ｌ，２０１Ｒに、一例として、直方体状に構成されたスピーカモジュール８０Ｌ，８０Ｒが収容される。すなわち、領域２０１Ｌ，２０１Ｒは、スピーカモジュール８０Ｌ，８０Ｒの収容部（部品収容部、装着部、支持部、保持部、部品保持部）の一例である。また、スピーカモジュール８０Ｌ，８０Ｒは、部品（モジュール、第二部品）の一例である。
【００２７】
図６を図４と比較し、図７を図５と比較して参照すれば、明らかとなるように、図６，７では、図４，５の状態に対して、回路基板１０，６０や、コネクタ１９、スピーカモジュール８０Ｌ，８０Ｒ等が追加されている。コネクタ１９には、配線９０が接続されている。配線９０は、所定の経路で配置される。
【００２８】
図６に示されるように、回路基板６０は、板状のベース部（基板部）６０ａを有し、このベース部６０ａには、例えば貫通孔や切欠として開口部６０ｂが設けられている。そして、少なくとも一部の開口部６０ｂには、突出部２０１ｂが挿入されている。また、固定具としてのねじ７０が、ベース部６０ａに設けられた開口部（図視されず）を貫通して、固定部５１ａ（図４参照）にねじ留め（固定）されている。すなわち、回路基板６０は、ねじ７０によって、筐体２ａの上側部分２Ｃに固定されている。よって、ねじ７０が挿通された開口部（の周縁部）は、回路基板６０を筐体２ａに取り付ける取付部（固定部、接続部、結合部、締結部）Ｐ１の一例である。
【００２９】
図８は、図６に示された領域ＡＲに、さらに固定部材３０Ｒの一例が取り付けられた状態が示された斜視図である。図９は、図７に示された領域ＡＬに、さらに固定部材３０Ｌの一例が取り付けられた状態が示された斜視図である。図１０は、固定部材３０Ｒの一例が示された斜視図である。また、図１１は、固定部材３０Ｌの一例が示された斜視図である。
【００３０】
図８を図６と比較し、図９を図７と比較して参照すれば、明らかとなるように、図８，９では、図６，７の状態に対して、固定部材３０Ｌ，３０Ｒが、操作ボタン８Ｌ，８Ｒや回路基板６０上に覆い被さる状態に、設けられている。
【００３１】
図１０，１１に示されるように、固定部材３０Ｌ，３０Ｒは、それぞれ、ベース部３０Ｌａ，３０Ｒａ、取付部３０Ｌｂ，３０Ｒｂ、および支持部３０Ｌｃ，３０Ｒｃを有している。ベース部３０Ｌａ，３０Ｒａ、取付部３０Ｌｂ，３０Ｒｂ、および支持部３０Ｌｃ，３０Ｒｃは、相互に並行して（並行に）配置されている。ベース部（取付部、接続部）３０Ｌａ，３０Ｒａは、略矩形の平板状に構成されている。ベース部３０Ｌａ，３０Ｒａの周囲には、このベース部３０Ｌａ，３０Ｒａと交叉する方向に延びた（垂直な）側壁部（周壁部、立壁部、壁部）３０Ｌｄ，３０Ｒｄが接続されている。この側壁部３０Ｌｄ，３０Ｒｄによって、ベース部３０Ｌａ，３０Ｒａと側壁部３０Ｌｄ，３０Ｒｄとを含む部分が、ボックス状に構成され、剛性が高められている。
【００３２】
取付部３０Ｌｂ，３０Ｒｂには、例えば貫通孔や切欠等として、開口部３０Ｌｅ，３０Ｒｅが設けられている。固定具の一例としてのねじ７０が開口部３０Ｌｅ，３０Ｒｅを貫通して、筐体２ａに設けられた固定部５１ｂ（Ｐ２、図６，７参照）に取り付けられ、これにより、固定部材３０Ｌ，３０Ｒが、筐体２ａの上側部分２Ｃに固定される。よって、開口部３０Ｌｅ，３０Ｒｅ（の周縁部）は、固定部材３０Ｌ，３０Ｒを筐体２ａに取り付ける取付部（固定部、接続部、結合部、締結部）Ｐ２の一例である。取付部Ｐ２は、筐体固定部の一例である。
【００３３】
支持部３０Ｌｃ，３０Ｒｃは、略矩形の平板状に構成され、上壁２ｃと下壁２ｄとの間に位置されている。固定部材３０Ｌ，３０Ｒが所定の位置に取り付けられた際、スピーカモジュール８０Ｌ，８０Ｒは、支持部３０Ｌｃ，３０Ｒｃと上壁２ｃとの間に位置される（図６〜９参照）。本実施形態では、支持部３０Ｌｃ，３０Ｒｃは、スピーカモジュール８０Ｌ，８０Ｒの支持部（保持部）の一例である。また、上壁２ｃと支持部３０Ｌｃ，３０Ｒｃとで、スピーカモジュール８０Ｌ，８０Ｒを挟持する挟持部が構成されていると言うこともできる。なお、支持部３０Ｌｃ，３０Ｒｃとスピーカモジュール８０Ｌ，８０Ｒとの間、およびスピーカモジュール８０Ｌ，８０Ｒと上壁２ｃとの間のうち、少なくとも一方には、スポンジやゴム等の弾性部材（可撓性部材、図視せず）を介在させることができる。これにより、スピーカモジュール８０Ｌ，８０Ｒが、上壁２ｃと支持部３０Ｌｃ，３０Ｒｃとの間に挟まれて、上壁２ｃや支持部３０Ｌｃ，３０Ｒｃからより大きな外力を受けるのを抑制することができる。一例として、弾性部材は、スピーカモジュール８０Ｌ，８０Ｒの外面に巻き付けて装着することができる。
【００３４】
また、固定部材３０Ｌ，３０Ｒには、開口部３０Ｌｆ，３０Ｒｆが設けられている。図８，９に示されるように、突出部２０１ｃが開口部３０Ｌｆ，３０Ｒｆに挿入され、これにより、固定部材３０Ｌ，３０Ｒが、筐体２ａの上側部分２Ｃに対する所定の位置に位置決め（位置合わせ）される。なお、本実施形態のように、固定部材３０Ｌ，３０Ｒのそれぞれについて、複数の開口部３０Ｌｆ，３０Ｒｆが設けられている構成では、一例として、一つの開口部３０Ｌｆ，３０Ｒｆを円形に形成し、他の開口部３０Ｌｆ，３０Ｒｆを長穴状に形成することができる。
【００３５】
また、固定部材３０Ｌ，３０Ｒのベース部３０Ｌａ，３０Ｒａには、例えば貫通孔として、開口部３０Ｌｇ，３０Ｒｇが設けられている。この開口部３０Ｌｇ，３０Ｒｇは、ヒンジ機構４Ｌ，４Ｒとの固定に用いられる。一例としては、この開口部３０Ｌｇ，３０Ｒｇは、雌ねじ孔として構成される。よって、開口部３０Ｌｇ，３０Ｒｇ（の周縁部）は、ヒンジ機構４Ｌ，４Ｒを固定部材３０Ｌ，３０Ｒに取り付ける取付部（固定部、接続部、結合部、締結部）Ｐ３の一例である。取付部Ｐ３は、ヒンジ固定部（部品固定部）の一例である。
【００３６】
また、固定部材３０Ｌ，３０Ｒのベース部３０Ｌａ，３０Ｒａには、例えば貫通孔として、開口部３０Ｌｈ，３０Ｒｈが設けられている。この開口部３０Ｌｈ，３０Ｒｈは、筐体２ａの上側部分２Ｃ、下側部分２Ｂ、およびヒンジ機構４Ｌ，４Ｒとの固定に用いられる。よって、開口部３０Ｌｈ，３０Ｒｈは、取付部（固定部、接続部、結合部、締結部）Ｐ４の一例である。取付部Ｐ４は、筐体固定部の一例であり、また、共通固定部の一例でもある。
【００３７】
また、固定部材３０Ｌ，３０Ｒのベース部３０Ｌａ，３０Ｒａには、突出部（突起部、突起）３０Ｌｉ，３０Ｒｉが設けられている。この突出部３０Ｌｉ，３０Ｒｉは、ヒンジ機構４Ｌ，４Ｒとの位置決め（位置合わせ、係合）に用いられる。
【００３８】
また、固定部材３０Ｌ，３０Ｒには、ベース部３０Ｌａ，３０Ｒａと支持部３０Ｌｃ，３０Ｒｃとの接続部分を補強するリブ３０Ｌｊ，３０Ｒｊが設けられている。リブ３０Ｌｊ，３０Ｒｊは、一例としては、ベース部３０Ｌａ，３０Ｒａおよび支持部３０Ｌｃ，３０Ｒｃと交叉する方向（一例としては直交する方向）に沿って延びた、壁部（リブ、立壁、起立壁）として設けられる。
【００３９】
そして、固定部材３０Ｌ，３０Ｒには、筐体２ａ内に収容された部品の一例としての配線９０が所定の方向に（所定の位置、領域等に向けて）移動するのを抑制する移動抑制部として機能するフック状の突出部３０Ｌｋ，３０Ｒｋが設けられている。また、固定部材３０Ｌ，３０Ｒには、軽量化や、弾性、剛性の調整等のために、適宜、開口部３０Ｌｍ，３０Ｒｍが設けられている。
【００４０】
また、支持部３０Ｌｃ，３０Ｒｃは、端部（辺部）３０Ｌｎ，３０Ｒｎを有している。図８，９に示されるように、この端部３０Ｌｎ，３０Ｒｎは、筐体２ａの上側部分２Ｃに設けられた係部２０１ｅと係っている（係合されている）。係部２０１ｅは、図４，５等に示されるように、隔壁２ｙに隣接した位置で、上壁２ｃの裏面２ｔ上に突出している。係部２０１ｅの先端には爪部２０１ｆが設けられている。爪部２０１ｆは、フック状に構成され、爪部２０１ｆは、端部３０Ｌｎ，３０Ｒｎより内側に向けて突出して。そして、固定部材３０Ｌ，３０Ｒが筐体２ａに固定された状態で、爪部２０１ｆは、支持部３０Ｌｃ，３０Ｒｃの端部３０Ｌｎ，３０Ｒｎを引っ掛けている。この係部２０１ｅは、係合部（引掛部、支持部）の一例である。係部２０１ｅは、弾性変形可能に構成され、支持部３０Ｌｃ，３０Ｒｃを引っ掛けている。よって、支持部３０Ｌｃ，３０Ｒｃをねじ等の固定具で固定した場合に比べて、支持部３０Ｌｃ，３０Ｒｃ、ひいてはスピーカモジュール８０Ｌ，８０Ｒに作用する力をより小さくすることができる。なお、係部は、固定部材に設けてもよい。
【００４１】
また、図６，８，１０を参照すれば明らかとなるように、回路基板６０は、固定部５１ｂと固定部５１ｃとの間に位置され、固定部材３０Ｒは、筐体固定部としての取付部Ｐ２の一例である開口部３０Ｒｅと、筐体固定部および共通固定部としての取付部Ｐ４の一例である開口部Ｒｈとの間で、回路基板６０を跨いでいる。よって、一例としては、回路基板６０を設ける位置の自由度を高めることができる。
【００４２】
また、図８，９に示されるように、本実施形態では、コネクタ１９や配線９０が、一例としては透明なフィルム状の遮蔽部材（インシュレータ、シールド、保護部材）１００で覆われている。図９に示されるように、固定部材３０Ｌ（の側壁部３０Ｌｄ）を、遮蔽部材１００を固定する（支持する）部分（固定部、支持部）として利用することができる。よって、一例としては、遮蔽部材１００を支持する部材が別個に設けられた場合に比べて、部品点数を減らすことができる。遮蔽部材１００は、一例としては、接着や溶着等によって、側壁部３０Ｌｄに固定されることができる。また、遮蔽部材１００は、屈曲可能（屈折可能、折り畳み可能、開閉可能）に構成することができる。
【００４３】
図１２は、図８に示された領域ＡＲに、さらにヒンジ機構４Ｒの一例が取り付けられた状態が示された斜視図である。図１３は、図９に示された領域ＡＬに、さらにヒンジ機構４Ｌの一例が取り付けられた状態が示された斜視図である。また、図１４は、図１２に対応した平面図、図１５は、図１３に対応した平面図である。図１２を図８と比較し、図１３を図９と比較して参照すれば、明らかとなるように、図１２，１３では、図８，９の状態に対して、ヒンジ機構４Ｌ，４Ｒが、操作ボタン８Ｌ，８Ｒや、回路基板６０、固定部材３０Ｌ，３０Ｒ上に覆い被さる状態に、設けられている。
【００４４】
ヒンジ機構４Ｌ，４Ｒ（４）は、第一部分２の筐体２ａに固定される第一部材４１と、この第一部材４１と回動可能に接続されて第二部分３の筐体３ａに固定される第二部材４２と、を有している。第一部材４１は、平板状のベース部（取付部、接続部）４１ａを有している。ベース部４１ａには、固定部材３０Ｌ，３０Ｒのベース部３０Ｌａ，３０Ｒａに設けられた突出部３０Ｌｉ，３０Ｒｉが挿入される開口部４１ｂが設けられる。すなわち、突出部３０Ｌｉ，３０Ｒｉは、固定部材３０Ｌ，３０Ｒとヒンジ機構４Ｌ，４Ｒとを位置決めする位置決め部（位置合わせ部、移動抑制部、固定部、案内部、支持部）の一例である。ヒンジ機構４Ｌ，４Ｒの回動軸は、筐体２ａの端部２ｇと並行している（平行である）。
【００４５】
また、ベース部４１ａには、固定具としてのねじ７０が貫通される例えば貫通孔や切欠として形成される開口部（図視されず）が設けられる。開口部を貫通したねじ７０は、固定部材３０Ｌ，３０Ｒの雌ねじ孔を有した開口部３０Ｌｇ，３０Ｒｇに結合される。すなわち、開口部３０Ｌｇ，３０Ｒｇ（の周縁部）は、ヒンジ機構４Ｌ，４Ｒを固定部材３０Ｌ，３０Ｒに取り付ける取付部（固定部、接続部、結合部、締結部）Ｐ３の一例である。
【００４６】
図１４，１５に示されるように、第二部材４２のベース部４２ａには、開口部４２ｂが設けられている。この開口部４２ｂは、第二部材４２（ヒンジ機構４Ｌ，４Ｒ）の第二部分３の筐体３ａに取り付ける際の、ねじ等の固定具の貫通部として利用される。
【００４７】
図１６〜１９は、図１４の各位置での第一部分２（筐体２ａ）の断面図、図２０〜２３は、図１５の各位置での第一部分２（筐体２ａ）の断面図である。
【００４８】
図１６，２０に示されるように、筐体２ａ内で、当該筐体２ａに取り付けられた固定部材３０Ｌ，３０Ｒの支持部３０Ｌｃ，３０Ｒｃと上側部分２Ｃの上壁２ｃとの間に、スピーカモジュール８０Ｌ，８０Ｒが位置されている。すなわち、固定部材３０Ｌ，３０Ｒは、スピーカモジュール８０Ｌ，８０Ｒを、上壁２ｃに近接した状態に支持している。ここで、本実施形態では、スピーカモジュール８０Ｌ，８０Ｒは、上側部分２Ｃのリブ２０１ｄと固定部材３０Ｌ，３０Ｒとで支持されている。すなわち、収容部としての領域２０１Ｌ，２０１Ｒ（図４，５参照）に収容されたスピーカモジュール８０Ｌ，８０Ｒが、固定部材３０Ｌ，３０Ｒの支持部３０Ｌｃ，３０Ｒｃに支持されている。仮に、スピーカモジュール８０Ｌ，８０Ｒがヒンジ機構４Ｌ，４Ｒの第一部材４１や固定部材３０Ｌ，３０Ｒに取り付けられた場合、取り付けるための構成（ねじ、フランジ等）が設けられる分、構成が大型化しやすい。この点、本実施形態によれば、領域２０１Ｌ，２０１Ｒに収容された（保持された）スピーカモジュール８０Ｌ，８０Ｒを固定部材３０Ｌ，３０Ｒの支持部３０Ｌｃ，３０Ｒｃが支持することで、一例としては、スピーカモジュール８０Ｌ，８０Ｒの支持構造をより小型に構成することができる。また、一例としては、ねじ等で固定する作業が減る分、組み立ての手間をより減らすことができる。
【００４９】
また、本実施形態では、図１７，２１に示されるように、固定部材３０Ｌ，３０Ｒがねじ７０によって取付部Ｐ２で上側部分２Ｃに固定される。また、図１８，２２に示されるように、ヒンジ機構４Ｌ，４Ｒの第一部材４１がねじ７０によって取付部Ｐ３で固定部材３０Ｌ，３０Ｒに固定される。また、図１９，２３に示されるように、固定部材３０Ｌ，３０Ｒと第一部材４１とが、上側部分２Ｃの固定部５１ｃおよび下側部分２Ｂの固定部５２ｃに挟まれた状態で、ねじ７０によって筐体２ａに取付部Ｐ４で固定される。
【００５０】
ここで、図１４，１５に示されるように、第一部材４１と固定部材３０Ｌ，３０Ｒとの結合部の一例である複数（本実施形態では一例として二つ）の取付部Ｐ３（Ｐ３１，Ｐ３２）が、第一部材４１および固定部材３０Ｌ，３０Ｒと筐体２ａとの結合部の一例である取付部Ｐ４の近傍に、位置されている。また、図１０，１１に示されるように、取付部Ｐ３，Ｐ４が設けられるベース部３０Ｌａ，３０Ｒａの剛性が、側壁部３０Ｌｄ，３０Ｒｄによって高められている。そして、図１４，１５に示されるように、第一部材４１と固定部材３０Ｌ，３０Ｒとの結合部の一例である複数の取付部Ｐ３のうち少なくとも一つ（Ｐ３１）が、固定部材３０Ｌ，３０Ｒと筐体２ａとの結合部の一例である取付部Ｐ２と取付部Ｐ４との間に、位置されている。このような構成により、一例としては、第一部材４１を、固定部材３０Ｌ，３０Ｒを介して、筐体２ａに、より強固にあるいはより安定的に結合する（固定する、取り付ける）ことができる。また、取付部Ｐ２の中心と取付部Ｐ４の中心とを結ぶ線分Ｌ１を中心とした取付部Ｐ３１でのモーメントアームを小さくすることができるため、一例としては、ねじ７０の緩み等が生じにくくなる。また、複数の取付部Ｐ３のうち他の一つ（Ｐ３２）が、取付部Ｐ２、取付部Ｐ３１、および取付部Ｐ４に沿った列からずれて位置されたため、一例としては、第一部材４１（ヒンジ機構４Ｌ，４Ｒ）とベース部３０Ｌａ，３０Ｒａ（固定部材３０Ｌ，３０Ｒ）とのずれが抑制されやすくなって、第一部材４１と固定部材３０Ｌ，３０Ｒとをより強固に結合することができる。取付部Ｐ３１（これに対応する開口部３０Ｌｇ，３０Ｒｇ）は、第一ヒンジ固定部の一例である。取付部Ｐ３２（これに対応する開口部３０Ｌｇ，３０Ｒｇ）は、第二ヒンジ固定部の一例である。
【００５１】
また、本実施形態では、ヒンジ機構４Ｌ，４Ｒが固定部材３０Ｌ，３０Ｒを介して上側部分２Ｃに取り付けられる（結合される）。また、回路基板１０や筐体２ａ内の部品（収容部品、モジュール）等も上側部分２Ｃに取り付けられる（結合される）。そして、ヒンジ機構４Ｌ，４Ｒや回路基板１０や部品等が取り付けられた上側部分２Ｃに、下側部分２Ｂが取り付けられる（結合される）。仮に、回路基板１０や筐体２ａ内の部品が下側部分２Ｂに取り付けられ、第二部分３に取り付けられた（すなわち、第二部分３付きの）ヒンジ機構４Ｌ，４Ｒが上側部分２Ｃに取り付けられた場合、その後の下側部分２Ｂと上側部分２Ｃとの組付作業（組立作業）では、重量物同士が組み付けられることになるため、作業者は組付作業を行いにくくなる。すなわち、本実施形態では、第二部分３に取り付けられたヒンジ機構４Ｌ，４Ｒが組み付けられ、かつ、回路基板１０や筐体２ａ内の部品が組み付けられた上側部分２Ｃに、より軽量な下側部分２Ｂが組み付けられるので、一例としては、組付作業（組立作業）をより容易に行いやすいという利点がある。
【００５２】
なお、本実施形態では、一例として、図１７に示される上側部分２Ｃと下側部分２Ｂとの取付部Ｐ５で下側部分２Ｂに設けられる固定部５２ｄ、ならびに図１９，２３に示される取付部Ｐ４で下側部分２Ｂに設けられる固定部５２ｃには、いずれも貫通孔が設けられ、固定具としてのねじ７０がこの貫通孔を貫通している。
【００５３】
図２４は、図１２に示された領域ＡＲに、さらに配線９０の一例が取り付けられた状態が示された斜視図である。図２５は、図１３に示された領域ＡＬに、さらに配線９０の一例が取り付けられた状態が示された斜視図である。図２４，２５に示されるように、本実施形態では、固定部材３０Ｌ，３０Ｒに設けられた突出部３０Ｌｋ，３０Ｒｋによって、配線９０がヒンジ機構４Ｌ，４Ｒが貫通する開口部２ｚ（図４，５等参照）側に移動するのが抑制されている。開口部２ｚは、領域ＡＬ，ＡＲの少なくとも一部を構成する隔壁２ｘに設けられている。爪部２０１ｆは、係部２０１ｅの先端部から開口部２ｚから離間する方向に突出している。配線９０は、第二部品の一例である。突出部３０Ｌｋ，３０Ｒｋは、移動抑制部の一例である。
【００５４】
以上のように、本実施形態では、部品の一例としてのスピーカモジュール８０Ｌ，８０Ｒが部品収容部の一例としての領域２０１Ｌ，２０１Ｒに収容され、第一部品の一例としての固定部材３０Ｌ，３０Ｒの支持部３０Ｌｃ，３０Ｒｃが、第二部品の一例としてのスピーカモジュール８０Ｌ，８０Ｒを、第一壁部の一例としての上壁２ｃに近接させて支持した。よって、一例としては、より小さな構成で、また、一例としては、より容易に、スピーカモジュール８０Ｌ，８０Ｒを、筐体２ａに設けることができる。
【００５５】
また、本実施形態では、固定部材３０Ｌ，３０Ｒおよび第一筐体の一例としての筐体２ａのうち少なくともいずれか一方（本実施形態では一例として筐体２ａ）に、固定部材３０Ｌ，３０Ｒと筐体２ａとを係らせる係部２０１ｅが設けられ、支持部３０Ｌｃ，３０Ｒｃが、筐体固定部の一例としての取付部Ｐ２，Ｐ４と係部２０１ｅとの間に位置された。よって、一例としては、係部２０１ｅのスペックの設定により、ねじ等の固定具を用いて固定する場合に比べて、支持部３０Ｌｃ，３０Ｒｃからスピーカモジュール８０Ｌ，８０Ｒに作用する力を軽減することが可能となる。
【００５６】
また、本実施形態では、固定部材３０Ｌ，３０Ｒが、配線９０がヒンジ機構４Ｌ，４Ｒ（４）が挿通する開口部２ｚ側に移動するのを抑制する移動抑制部の一例として、突出部３０Ｌｋ，３０Ｒｋを有した。よって、一例としては、移動抑制部が別個に設けられた場合に比べて、部品点数を減らすことができる。
【００５７】
以上、本発明の好適な実施形態について説明したが、本発明は上記実施形態には限定されず、種々の変形が可能である。本発明は、スピーカモジュールや配線以外の部品（収容部品、モジュール）にも適用することができる。
【００５８】
また、電子機器、第一部分、第二部分、筐体、第一壁部、第二壁部、ヒンジ、部品、第二部品、部品収容部、筐体固定部、ヒンジ固定部、第一ヒンジ固定部、第二ヒンジ固定部、共通固定部、支持部、固定部材、係部、開口部、移動抑制部、回路基板、第二回路基板、等のスペック（構造や、形状、大きさ、長さ、幅、厚さ、高さ、数、配置、位置、材質等）は、適宜変更して実施することができる。
【００５９】
実施形態によれば、少なくとも一部が筐体内に収容された部品が筐体に取り付けられた場合により不都合の少ない新規な構成の電子機器を得ることができる。
【符号の説明】
【００６０】
１…電子機器、２Ｃ…上側部分（第一部分）、２Ｂ…下側部分（第二部分）、２ａ…筐体（第一筐体）、２ｃ…上壁（第一壁部）、２ｄ…下壁（第二壁部）、３ａ…筐体（第二筐体）、３０Ｌ，３０Ｒ…固定部材、１０…回路基板（第二回路基板）、３０Ｌｃ，３０Ｒｃ…支持部、３０Ｌｅ，３０Ｒｅ…開口部（筐体固定部）、３０Ｌｇ，３０Ｒｇ…開口部（ヒンジ固定部、部品固定部）、３０Ｌｈ，３０Ｒｈ…開口部（筐体固定部、共通固定部）、３０Ｌｋ，３０Ｒｋ…突出部（移動抑制部）、６０…回路基板、８０Ｌ，８０Ｒ…スピーカモジュール（部品）、９０…配線（第二部品）、Ｐ２…取付部（筐体固定部）、Ｐ３…取付部（ヒンジ固定部、部品固定部）、Ｐ３１…取付部（第一ヒンジ固定部）、Ｐ３２…取付部（第二ヒンジ固定部）、Ｐ４…取付部（共通固定部、筐体固定部）。
【図１】
2012195462.tif 000003
【図２】
2012195462.tif 000004
【図３】
2012195462.tif 000005
【図４】
2012195462.tif 000006
【図５】
2012195462.tif 000007
【図６】
2012195462.tif 000008
【図７】
2012195462.tif 000009
【図８】
2012195462.tif 000010
【図９】
2012195462.tif 000011
【図１０】
2012195462.tif 000012
【図１１】
2012195462.tif 000013
【図１２】
2012195462.tif 000014
【図１３】
2012195462.tif 000015
【図１４】
2012195462.tif 000016
【図１５】
2012195462.tif 000017
【図１６】
2012195462.tif 000018
【図１７】
2012195462.tif 000019
【図１８】
2012195462.tif 000020
【図１９】
2012195462.tif 000021
【図２０】
2012195462.tif 000022
【図２１】
2012195462.tif 000023
【図２２】
2012195462.tif 000024
【図２３】
2012195462.tif 000025
【図２４】
2012195462.tif 000026
【図２５】
2012195462.tif 000027
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
第一壁部と、この第一壁部の反対側に位置された第二壁部と、を有した第一筐体と、
第二筐体と、
前記第一筐体および前記第二筐体を回動可能に接続したヒンジと、
前記第一壁部に設けられた部品収容部に収容された部品と、
前記第一筐体に固定された筐体固定部と、前記ヒンジが固定されたヒンジ固定部と、前記第一壁部と前記第二壁部との間に位置されて前記部品を前記第一壁部に近接させて支持した支持部と、を有した固定部材と、
を備え、
前記第一筐体には、第二部品が収容されるとともに、前記ヒンジを挿通させる開口部が設けられ、
前記固定部材は、前記第二部品の前記開口部側に位置して前記第二部品が前記開口部側に移動するのを抑制する移動抑制部を有した、電子機器。 
【請求項２】
前記固定部材および前記第一筐体のうち少なくともいずれか一方に、前記固定部材と前記第一筐体とが係る係部が設けられ、
前記支持部は、前記筐体固定部と前記係部との間に位置された、請求項１に記載の電子機器。 
【請求項３】
前記固定部材は、複数の前記筐体固定部を有し、
少なくとも一つの前記ヒンジ固定部が、複数の前記筐体固定部の間に位置された、請求項１または２に記載の電子機器。 
【請求項４】
前記固定部材は、前記ヒンジとともに前記固定部材が前記第一筐体に固定される共通固定部を有し、
少なくとも一つの前記ヒンジ固定部が、前記共通固定部とこの共通固定部とは別の前記筐体固定部との間に位置された、請求項３に記載の電子機器。 
【請求項５】
前記ヒンジ固定部として、
複数の前記筐体固定部と列状に配置された第一ヒンジ固定部と、
前記複数の筐体固定部および前記第一ヒンジ固定部に沿った列からずれて位置された第二ヒンジ固定部と、を有した、
請求項３または４に記載の電子機器。 
【請求項６】
前記第一壁部に固定された回路基板を備え、
前記固定部材の複数の前記筐体固定部の間の部分が、前記回路基板を跨いだ、請求項３〜５のうちいずれか一つに記載の電子機器。 
【請求項７】
前記第一壁部を有し、第二回路基板が取り付けられた、前記第一筐体の第一部分と、
前記第二壁部を有し、前記第二回路基板、前記固定部材、および前記ヒンジが取り付けられた前記第一部分に取り付けられた、前記第一筐体の第二部分と、
を備えた、請求項１に記載の電子機器。 
【手続補正２】
【補正対象書類名】明細書
【補正対象項目名】０００５
【補正方法】変更
【補正の内容】
【０００５】
そこで、本発明の実施形態は、少なくとも一部が筐体内に収容された部品が筐体に取り付けられた場合に、例えば大型化したり部品点数が増えたりといった不都合がより少ない新規な構成の電子機器を得ることを、目的の一つとする。 
【手続補正３】
【補正対象書類名】明細書
【補正対象項目名】０００６
【補正方法】変更
【補正の内容】
【０００６】
本発明の実施形態にかかる電子機器は、第一筐体と、第二筐体と、ヒンジと、部品と、固定部材と、を備える。第一筐体は、第一壁部と、この第一壁部の反対側に位置された第二壁部と、を有する。ヒンジは、第一筐体および第二筐体を回動可能に接続する。部品は、第一壁部に設けられた部品収容部に収容される。固定部材は、第一筐体に固定された筐体固定部と、ヒンジが固定されたヒンジ固定部と、第一壁部と第二壁部との間に位置されて部品を第一壁部に近接させて支持した支持部と、を有する。第一筐体には、第二部品が収容されるとともに、ヒンジを挿通させる開口部が設けられた。固定部材は、第二部品の開口部側に位置して第二部品が開口部側に移動するのを抑制する移動抑制部を有した。